(57)【要約】      （修正有）【課題】電子機能を付与し、使用範囲を拡張できるヘッドストラップを提供する。【解決手段】サイクリング設備の分野に属するヘルメットの部品のヘッドストラップ１００であって、頭部を縛り付けるストラップバンド１０１と、ストラップバンド１０１の縛り付け度合いを調節する調節アセンブリ１０３と、ヘッドストラップ１００のインテリジェント化を実現する電子設備１０５とを有する。ストラップバンド１０１が調節アセンブリ１０３と接続され、電子設備１０５が調節アセンブリ１０３内に設置されるとともに調節アセンブリ１０３と接続される。当該ヘッドストラップ１００は、ヘルメットの一部品であり、電子設備１０５とヘッドストラップ１００とを結合させる。【選択図】図１
0003230491.tif 000002
【実用新案登録請求の範囲】
【請求項１】
頭部を縛り付けるストラップバンドと、前記ストラップバンドの縛り付け度合いを調節する調節アセンブリと、前記ヘッドストラップのインテリジェント化を実現する電子設備とを有し、
前記ストラップバンドが前記調節アセンブリと接続され、前記電子設備が前記調節アセンブリ内に設置されるとともに前記調節アセンブリと接続される
ことを特徴とするヘッドストラップ。
【請求項２】
前記調節アセンブリは、前記電子設備を格納する電子設備格納用部品と、前記ストラップバンドの縛り付け度合いを調節する機械アセンブリと、機械アセンブリを格納する機械アセンブリ格納用部品とを有し、
前記電子設備が前記電子設備格納用部品内に設置されるとともに前記電子設備格納用部品と接続され、
前記機械アセンブリが前記機械アセンブリ格納用部品内に設置されるとともに前記機械アセンブリ格納用部品と可動に接続される
ことを特徴とする請求項１に記載のヘッドストラップ。
【請求項３】
前記機械アセンブリは、ギヤとラックアセンブリとを有し、
前記ラックアセンブリが前記ギヤと噛合し、
前記ギヤが前記機械アセンブリ格納用部品内に格納されるとともに前記機械アセンブリ格納用部品と可動に接続され、
前記ラックアセンブリが前記機械アセンブリ格納用部品と可動に接続される
ことを特徴とする請求項２に記載のヘッドストラップ。
【請求項４】
前記ラックアセンブリは、第１ラックと第２ラックとを含み、
前記第１ラックと前記第２ラックがそれぞれ前記ギヤの両側に位置するとともに前記ギヤと噛合し、
前記第１ラックと前記第２ラックがいずれも前記機械アセンブリ格納用部品と可動に接続される
ことを特徴とする請求項３に記載のヘッドストラップ。
【請求項５】
複数の第１ケーブルと複数の第２ケーブルとをさらに有し、
前記複数の第１ケーブルがそれぞれ前記第１ラック、機械アセンブリ格納用部品、電子設備格納用部品及び電子設備と接続され、
前記複数の第２ケーブルがそれぞれ前記第２ラック、機械アセンブリ格納用部品、電子設備格納用部品及び電子設備と接続される
ことを特徴とする請求項４に記載のヘッドストラップ。
【請求項６】
前記電子設備は、前記電子設備格納用部品内に設置されるとともに前記電子設備格納用部品と接続される無線伝送ユニットを有することを特徴とする請求項２〜５のいずれか１項に記載のヘッドストラップ。
【請求項７】
前記電子設備は、前記電子設備格納用部品内に設置されるとともに前記電子設備格納用部品と接続され、前記無線伝送ユニットと電気接続される中央処理装置をさらに有することを特徴とする請求項６に記載のヘッドストラップ。
【請求項８】
前記電子設備は、前記電子設備格納用部品の外部に設置されるとともに前記電子設備格納用部品と接続され、前記中央処理装置と電気接続される警報灯をさらに有することを特徴とする請求項７に記載のヘッドストラップ。
【請求項９】
前記電子設備は、前記電子設備格納用部品内に設置されるとともに前記電子設備格納用部品と接続され、前記中央処理装置と電気接続される加速度センサをさらに有することを特徴とする請求項８に記載のヘッドストラップ。
【請求項１０】
前記電子設備は、前記電子設備格納用部品内に設置されるとともに前記電子設備格納用部品と接続され、前記中央処理装置と電気接続される光強度センサをさらに有することを特徴とする請求項７に記載のヘッドストラップ。
【請求項１１】
前記ストラップバンド内に設置されるとともに前記ストラップバンドと接続され、前記電子設備と電気接続されるセンサアセンブリをさらに有することを特徴とする請求項７〜１０のいずれか１項に記載のヘッドストラップ。
【請求項１２】
前記センサアセンブリは、心拍数センサと脳波捕捉装置とを含み、
前記心拍数センサと前記脳波捕捉装置が、いずれも、前記ストラップバンド内に設置されるとともに前記ストラップバンドと接続され、前記中央処理装置と電気接続される
ことを特徴とする請求項１１に記載のヘッドストラップ。
【請求項１３】
ストラップバンドと接続され、前記電子設備と通信接続されるイヤホンアセンブリをさらに有することを特徴とする請求項１〜１２のいずれか１項に記載のヘッドストラップ。
【請求項１４】
前記イヤホンアセンブリは、イヤホンユニットとマイクとを含み、
前記イヤホンユニット及び前記マイクが、いずれも、前記ストラップバンド及び前記電子設備と接続されることを特徴とする請求項１３に記載のヘッドストラップ。
【請求項１５】
ヘルメット本体と、請求項１〜１４のいずれか１項に記載のヘッドストラップとを有し、前記ヘルメット本体が前記ヘッドストラップと接続されることを特徴とする多機能ヘルメット。
【考案の詳細な説明】
【技術分野】
【０００１】
本出願は、２０１７年１０月２７日に中国専利局に提出された出願番号がＣＮ２０１７１１０２１８０４Ｘであり、名称が「ヘッドストラップ及び多機能ヘルメット」である中国出願に基づいて優先権を主張し、そのすべての内容は、参照により本明細書に組み込まれる。
【０００２】
本出願は、サイクリング設備の分野に属し、具体的に、ヘッドストラップ及び多機能ヘルメットに関する。
【背景技術】
【０００３】
サイクリングヘルメットは、基本的にヘルメット本体とヘッドストラップとの２部分により構成される。従来のサイクリングヘルメットは、例えば電話の送受話、音楽の聴取などのインテリジェントな機能を実現するため、これらの電子部品をヘルメット本体に内蔵させていた。例えば、ＬＩＶＡＬＬ（登録商標）のブランドのインテリジェントヘルメットは、その電池、接続コード、イヤホンがヘルメット本体に内蔵されている。ヘルメット本体に上記の機能を増やすため、ヘルメット本体に対応する各種の部品を内蔵させなければならないので、以下の問題が生じる。（１）ヘルメットは、そもそも安全設備であり、各種の安全テストが通ってから販売が許与されるものであり、機能部品を内蔵することでその安全性に影響を与えるので、特別の設計が必要となり、設計の難易度が上がる。（２）機能部品を内蔵することで、従来のヘルメットの生産プロセスが変更され、生産ステップが増え、ヘルメット本体の生産難易度が上がる。（３）生産ステップが増えることにしたがって、不良率が上がり、ヘルメット製品のコストが上がる。（４）電子設備がヘルメットの内部に埋められているため、電子設備の損壊又はヘルメットの損壊があれば、製品全体の廃棄になり、修理が難しい。
【考案の概要】
【考案が解決しようとする課題】
【０００４】
本出願は、ヘルメットの部品であり、電子設備とヘッドストラップとを結合させることにより、ヘッドストラップに対して対応する電子機能を付与し、ヘッドストラップの使用範囲を拡張できるヘッドストラップを提供することを１つの目的とする。
【０００５】
本出願は、電子設備とヘッドストラップとを接続し、ヘッドストラップとヘルメット本体とを接続することにより、ヘルメット本体を大きく改造する必要がなく、ヘルメットの設計難易度が下がる多機能ヘルメットを提供することをもう１つの目的とする。
【課題を解決するための手段】
【０００６】
本出願における実施例は下記のように実現される。
【０００７】
ヘッドストラップは、頭部を縛り付けるストラップバンドと、ストラップバンドの縛り付け度合いを調節する調節アセンブリと、ヘッドストラップのインテリジェント化を実現する電子設備とを有する。ストラップバンドが調節アセンブリと接続され、電子設備が調節アセンブリ内に設置されるとともに調節アセンブリと接続される。
【０００８】
さらに、上記の調節アセンブリは、電子設備を格納する電子設備格納用部品と、ストラップバンドの縛り付け度合いを調節する機械アセンブリと、機械アセンブリを格納する機械アセンブリ格納用部品とを有し、電子設備が電子設備格納用部品内に設置されるとともに電子設備格納用部品と接続され、機械アセンブリが機械アセンブリ格納用部品内に設置されるとともに機械アセンブリ格納用部品と可動に接続される。
【０００９】
さらに、前記機械アセンブリは、ギヤとラックアセンブリとを有し、前記ラックアセンブリが前記ギヤと噛合し、前記ギヤが前記機械アセンブリ格納用部品内に格納されるとともに前記機械アセンブリ格納用部品と可動に接続され、前記ラックアセンブリが前記機械アセンブリ格納用部品と可動に接続される。
【００１０】
さらに、前記ラックアセンブリは、第１ラックと第２ラックとを含み、前記第１ラックと前記第２ラックがそれぞれ前記ギヤの両側に位置するとともに前記ギヤと噛合し、前記第１ラックと前記第２ラックがいずれも前記機械アセンブリ格納用部品と可動に接続される。
【００１１】
さらに、前記ヘッドストラップは、複数の第１ケーブルと複数の第２ケーブルとをさらに有し、前記複数の第１ケーブルがそれぞれ前記第１ラック、機械アセンブリ格納用部品、電子設備格納用部品及び電子設備と接続され、前記複数の第２ケーブルがそれぞれ前記第２ラック、機械アセンブリ格納用部品、電子設備格納用部品及び電子設備と接続される。さらに、前記電子設備は、電子設備格納用部品内に設置されるとともに電子設備格納用部品と接続される無線伝送ユニットを有する。さらに、前記電子設備は、電子設備格納用部品内に設置されるとともに電子設備格納用部品と接続され、無線伝送ユニットと電気接続される中央処理装置をさらに有する。
【００１２】
さらに、前記電子設備は、電子設備格納用部品の外部に設置されるとともに電子設備格納用部品と接続され、中央処理装置と電気接続される警報灯をさらに有する。
【００１３】
さらに、前記電子設備は、電子設備格納用部品内に設置されるとともに電子設備格納用部品と接続され、前記中央処理装置と電気接続される加速度センサをさらに有する。
【００１４】
さらに、前記電子設備は、前記電子設備格納用部品内に設置されるとともに前記電子設備格納用部品と接続され、前記中央処理装置と電気接続される光強度センサをさらに有する。
【００１５】
さらに、前記ヘッドストラップは、ストラップバンド内に設置されるとともにストラップバンドと接続され、電子設備と電気接続されるセンサアセンブリをさらに有する。
【００１６】
さらに、前記センサアセンブリは、心拍数センサと脳波捕捉装置とを含み、前記心拍数センサと前記脳波捕捉装置が、いずれも、前記ストラップバンド内に設置されるとともに前記ストラップバンドと接続され、前記中央処理装置と電気接続される。
【００１７】
さらに、前記ヘッドストラップは、ストラップバンドと接続され、電子設備と通信接続されるイヤホンアセンブリをさらに有する。
【００１８】
さらに、前記イヤホンアセンブリは、イヤホンユニットとマイクとを含み、イヤホンユニット及びマイクが、いずれも、ストラップバンド及び電子設備と接続される。
【００１９】
さらに、前記ヘッドストラップは、ストラップバンド内に設置されるとともにストラップバンド及び電子設備と接続されるセンサアセンブリをさらに有する。
【００２０】
多機能ヘルメットは、ヘルメット本体と、前記ヘッドストラップとを有し、ヘルメット本体がヘッドストラップと接続される。
【００２１】
本出願における実施例によるヘッドストラップ及び多機能ヘルメットは、下記の有益な効果を有する。本出願は、電子設備を設置することにより電子設備とヘッドストラップとを一体に構成させるので、電子設備のフットプリントを減少できるとともに電子設備の交換が容易になる。また、電子設備とヘッドストラップとを一体に構成させることにより、ヘルメット本体に線を埋める必要がなくなり、ヘルメットを大きく改造する必要がなくなる。これによって、ヘルメットの設計難易度が下がり、ヘルメットの生産難易度も下がる。
【００２２】
本出願における実施例の技術案をより明瞭に説明するため、以下、実施例の説明に必要な図面を簡単に説明する。説明する図面は、本出願の一部の実施例を示すものに過ぎず、範囲を限定するものではない。当業者は、発明能力を用いなくても、これらの図面に基づいてその他の関連図面を得ることが可能である。
【図面の簡単な説明】
【００２３】
【図１】本出願における実施例によるヘッドストラップの構成模式図である。
【図２】本出願における実施例による調節アセンブリの第１の構成模式図である。
【図３】本出願における実施例による調節アセンブリの第２の構成模式図である。
【図４】本出願における実施例による電子設備の構成模式図である。
【図５】本出願における実施例による電子設備の電子回路の構成ブロック図である。
【考案を実施するための形態】
【００２４】
本出願における実施例の目的、技術案及び利点をより明瞭にするため、以下、本出願における実施例に用いられる図面を参照しながら、本出願における実施例の技術案を明瞭、完全に説明し、説明される実施例が本出願の一部の実施例にすぎず、全ての実施例ではないことは無論である。ここで図面を用いて説明、例示した本出願における実施例の部品は、様々な配置方法で配置、設計することが可能である。
【００２５】
このため、図面に示された本出願における実施例に対する詳細な説明は、本出願の選択された実施例を示すものに過ぎず、保護しようとする本出願の範囲を限定するものではない。本出願における実施例をもとに、当業者が発明能力を用いることなく得たすべてのその他の実施例は、いずれも本出願の保護範囲に属する。
【００２６】
なお、同様な符号は、図面において同様なものを示すので、１つの図面で定義された場合、その他の図面でさらに定義、解釈することが不要になる。
【００２７】
本出願の説明において、「第１」、「第２」等の用語は、区別して説明するためのものであり、相対重要性を明示又は暗示するものではないと理解すべきである。
【００２８】
本出願の説明において、明確な定義と限定がない限り、用語「設置」、「連通」、「連係」、「接続」を、広義的に理解すべきである。例えば、固定接続でもよいし、取外し可能な接続でもよいし、一体的な接続でもよい。そして、機械的な接続でもよいし、電気的な接続でもよい。また、直接に接続してもよいし、中間物を介して間接に接続してもよいし、２つの素子の内部が連通してもよい。当業者は、本出願における上記用語の具体的な意味を、具体的な状況に応じて理解することが可能である。
【００２９】
以下、図面を参照しながら、本出願の一部の実施形態を詳細に説明する。矛盾がない限り、下記の実施例及び実施例における特徴を互いに結合させることができる。
【００３０】
本実施例によるヘッドストラップ１００は、図１に示すように、頭部を縛り付けるストラップバンド１０１と、ストラップバンド１０１の縛り付け度合いを調節する調節アセンブリ１０３と、ヘッドストラップ１００のインテリジェント化を実現する電子設備１０５とを有する。ストラップバンド１０１が調節アセンブリ１０３と接続され、電子設備１０５が調節アセンブリ１０３内に設置されるとともに調節アセンブリ１０３と接続される。
【００３１】
ストラップバンド１０１は、ヘルメットで人を防護できるように、おもに頭部を縛り付けることが可能であり、ヘルメット本体と接続されるものである。ストラップバンド１０１は、プラスチック等からなる一定の硬さを有する固定装置であってもよい。ヘッドストラップ１００は、ヘルメットの補助設備にすぎず、ヘルメットの重量を低減し、利用者の首にかけられる力を低減するため、ストラップバンド１０１が中空の構造になる。ストラップバンド１０１が中空の構造により形成されることによって、ストラップバンド１０１と調節アセンブリ１０３との接続に寄与できる。
【００３２】
調節アセンブリ１０３は、ストラップバンド１０１の縛り付け度合いを調節できるだけでなく、調節アセンブリ１０３に電子設備１０５を設置することで、ヘッドストラップ１００に対応するインテリジェント機能を付与することができる。よって、ヘッドストラップ１００の使用範囲を拡張できるとともに、電子設備１０５をヘルメットに設置する必要がなくなるので、ヘルメットの設計難易度が下がり、電子設備１０５の交換も容易になる。
【００３３】
図２と図３に示すように、調節アセンブリ１０３は、電子設備１０５を格納する電子設備格納用部品２０１と、ストラップバンド１０１の縛り付け度合いを調節する機械アセンブリ２０３と、機械アセンブリを格納する機械アセンブリ格納用部品２０５とを有する。電子設備１０５が電子設備格納用部品２０１内に設置されるとともに電子設備格納用部品２０１と接続され、機械アセンブリ２０３が機械アセンブリ格納用部品２０５内に設置されるとともに機械アセンブリ格納用部品２０５と可動に接続される。機械素子と電子素子とが互いに影響しないように、電子設備格納用部品２０１と機械アセンブリ格納用部品２０５とが隣接に設置されている。したがって、各機械素子及び電子素子の正常の作動を保証できるとともに、各機械素子及び電子素子の使用寿命を最大限に延長することができる。そして、機械アセンブリ格納用部品２０５と電子設備格納用部品２０１が前後に順に設置され、即ち、利用者がヘッドストラップ１００を使用するとき、電子設備格納用部品２０１が頭部と接触し、機械アセンブリ格納用部品２０５が頭部と接触しないようになるので、電子設備格納用部品２０１内の電子設備１０５が天候に影響されず、電子設備格納用部品２０１内の電子設備１０５の正常作動を保証できる。
【００３４】
機械アセンブリ２０３は、ギヤ２１０とラックアセンブリ２２０とを有する。ギヤ２１０は、機械アセンブリ格納用部品２０５内に配置されるとともに機械アセンブリ格納用部品２０５と可動に接続される。ラックアセンブリ２２０は、ギヤ２１０と噛合するとともに機械アセンブリ格納用部品２０５と摺動可能に接続される。ラックアセンブリ２２０がギヤ２１０により駆動されて機械アセンブリ格納用部品２０５内を摺動することで、ヘッドストラップ１００の収縮又は伸長を実現させる。ギヤ２１０とラックアセンブリ２２０との接続を利用することによって、構成が簡単になり、ヘッドストラップ１００の構成が簡略化される。
【００３５】
さらに、ラックアセンブリ２２０は、第１ラック２２１と第２ラック２２３とを含む。第１ラック２２１と第２ラック２２３は、それぞれギヤ２１０の両側に位置するとともにギヤ２１０と噛合し、さらに機械アセンブリ格納用部品２０５と可動に接続される。ラックアセンブリ２２０が２つのラックを有するので、利用者が異なる方向からヘッドストラップ１００の大きさを調節することができる。第１ラック２２１と第２ラック２２３が同時にギヤ２１０に近づく方向へ対向に運動するとき、第１ラック２２１と第２ラック２２３との距離が短くなるので、ヘッドストラップ１００が小さくなり、利用者の頭部が縛り付けられる。これによって、ヘッドストラップ１００の利用者の頭部にかける力が増大するので、ヘルメットの安全性を保証できるとともに、ヘルメットの脱落も防ぐことができる。第１ラック２２１と第２ラック２２３が同時にギヤ２１０から離間する方向へ運動するとき、第１ラック２２１と第２ラック２２３との距離が長くなるので、ヘッドストラップ１００が大きくなる。これによって、ヘッドストラップ１００の利用者の頭部にかける力が小さくなり、利用者によるヘルメットの取り外しが容易になる。
【００３６】
さらに、ヘッドストラップ１００は、各種の信号を伝送するための複数の第１ケーブル２０７と複数の第２ケーブル２０９とをさらに有する。複数の第１ケーブル２０７がそれぞれ第１ラック２２１、機械アセンブリ格納用部品２０５、電子設備格納用部品２０１及び電子設備１０５と接続され、複数の第２ケーブル２０９がそれぞれ第２ラック２２３、機械アセンブリ格納用部品２０５、電子設備格納用部品２０１及び電子設備１０５と接続すされる。具体的に、複数の第１ケーブル２０７及び第２ケーブル２０９は、いずれも、一部のケーブルが機械アセンブリ格納用部品２０５内に位置し、一部のケーブルが電子設備格納用部品２０１内に位置する。即ち、機械アセンブリ格納用部品２０５内の機械アセンブリ２０３の運動により、第１ケーブル２０７及び第２ケーブル２０９が、第１ラック２２１、第２ラック２２３及び機械アセンブリ格納用部品２０５内で駆動されるので、電子設備格納用部品２０１内の電子素子の正常作動を保証できるとともに、機械アセンブリ２０３によるヘッドストラップ１００の縛り付け度合いへの調節も効果的に行うことができる。
【００３７】
具体的に、第１ラック２２１と第２ラック２２３が対向に運動するとき、即ち、第１ラック２２１と第２ラック２２３の重なり部分が大きくなるとき、第１ケーブル２０７の第１ラック２２１内に位置する部分が、第１ラック２２１から押し出され、機械アセンブリ格納用部品２０５内で折りたたまれ、よって、第１ケーブル２０７の相対的な長さが調節される。第１ラック２２１と第２ラック２２３が互いに離間する方向へ運動するとき、即ち、第１ラック２２１と第２ラック２２３の重なり部分が小さくなるとき、機械アセンブリ格納用部品２０５内の折りたたまれている部分がラックの運動にしたがってギヤ２１０から離間する方向へ運動し、第１ギヤ２１０と第２ギヤ２１０の重なり部分が最小になると、第１ケーブル２０７が直線になる。第２ケーブル２０９は、運動方式が第１ケーブル２０７と同じであり、運動方向が第１ケーブル２０７と逆になる。
【００３８】
図４と図５に示すように、電子設備１０５は、電源３０１と、無線伝送ユニット３０３と、中央処理装置３０５と、加速度センサ３０７と、警報灯３０９と、光強度センサ３１１とを有する。電源３０１が無線伝送ユニット３０３、中央処理装置３０５、加速度センサ３０７、警報灯３０９及び光強度センサ３１１のそれぞれと電気接続され、中央処理装置３０５が加速度センサ３０７、警報灯３０９及び光強度センサ３１１のそれぞれと電気接続される。
【００３９】
さらに、電源３０１は、無線伝送ユニット３０３、中央処理装置３０５、加速度センサ３０７、警報灯３０９及び光強度センサ３１１に電力を供給するものであり、電子設備格納用部品２０１内に設置されるとともに電子設備格納用部品２０１と接続される。電源３０１と電子設備格納用部品２０１の接続は、例えばボルトによる固定、接着剤による固定のような固定接続であってもよいし、電池を容易に交換するため、例えばスナップによる接続、面ファスナーによる接続のような取り外し可能な接続であってもよい。電源３０１は、乾電池、蓄電池、スーパーキャパシタ等であることが可能である。
【００４０】
さらに、電子設備１０５は、無線伝送ユニット３０３をさらに有する。無線伝送ユニット３０３は、利用者の移動端末（例えば、スマートフォン、着用型移動端末、タブレット等）と通信接続可能であり、電子設備１０５と利用者の移動端末との間のデータ伝送を実現するためのものである。無線伝送ユニット３０３は、電子設備格納用部品２０１内に設置されるとともに電子設備格納用部品２０１と接続される。無線伝送ユニット３０３として、ブルートゥース、ＷＬＡＮ（Ｗｉｒｅｌｅｓｓ  Ｌｏｃａｌ  Ａｒｅａ  Ｎｅｔｗｏｒｋｓ：無線ローカルエリアネットワーク）、ＮＦＣ（Ｎｅａｒ  Ｆｉｅｌｄ  Ｃｏｍｍｕｎｉｃａｔｉｏｎ：近距離無線通信技術）、ＲＦＩＤ（Ｒａｄｉｏ  Ｆｒｅｑｕｅｎｃｙ  Ｉｄｅｎｔｉｆｉｃａｔｉｏｎ：無線周波数識別）等の近距離通信用チップであってもよいし、２Ｇ／３Ｇ／４Ｇ等の遠距離通信用チップであってもよい。
【００４１】
さらに、電子設備１０５は、中央処理装置３０５をさらに有する。中央処理装置３０５は、信号処理能力を有し、さらに無線伝送ユニット３０３、加速度センサ３０７、警報灯３０９及び光強度センサ３１１を制御することもできる。中央処理装置３０５は、電子設備格納用部品２０１内に設置されるとともに電子設備格納用部品２０１と接続され、さらに無線伝送ユニット３０３と電気接続される。無線伝送ユニット３０３が、受信した信号を中央処理装置３０５に伝送し、中央処理装置３０５が、信号を処理して対応する処理操作信号を送信する。一実施形態として、中央処理装置３０５の代わりに、デジタル信号処理装置、専用の集積回路、フィールドプログラマブルゲートアレイまたはその他のプログラマブル論理デバイス、ディスクリートゲートまたはトランジスタデバイス、ディスクリートハードウェアコンポーネント等を使用してもよい。これらによって、無線伝送ユニット３０３、加速度センサ３０７、警報灯３０９及び光強度センサ３１１を制御する。
【００４２】
さらに、電子設備１０５は、加速度センサ３０７をさらに有する。加速度センサ３０７は、電子設備格納用部品２０１内に設置されるとともに電子設備格納用部品２０１と接続される。加速度センサ３０７は、利用者のサイクリング中の加速度データをリアルタイムに取得して中央処理装置３０５に伝送する。中央処理装置３０５は、加速度データに対して分析、処理を行って、利用者の運動の激しさ、転倒の存否等を判断する。中央処理装置３０５は、利用者のサイクリングが速すぎになることを防ぎ、利用者の安全を保証するため、利用者の運動が激しく、又は転倒があると判断したとき、警報灯３０９の点灯を制御して警報を行う。また、中央処理装置３０５は、利用者が移動端末を介して自身の運動状態を把握できるように、無線伝送ユニット３０３を介して加速度データを利用者の移動端末に送信することも可能である。
【００４３】
また、加速度センサ３０７にジャイロスコープを増設して加速度センサの性能を向上させてもよい。このようにして、加速度センサ１０７が加速度データを取得するときの安定性を向上させたので、中央処理装置３０５による利用者の運動の激しさ、転倒の存否等の判断の精確度を向上させることができる。
【００４４】
さらに、電子設備１０５は、警報灯３０９をさらに有する。警報灯３０９は、電子設備格納用部品２０１の外部に設置されるとともに電子設備格納用部品２０１と接続され、さらに中央処理装置３０５と電気接続される。警報灯３０９は、電子設備格納用部品２０１の上面に設置され、中央処理装置３０５の制御により点灯し、警報又は夜中のサイクリングの安全保証の役割を果たす。警報灯３０９はＬＥＤライトであることが可能である。
【００４５】
好ましくは、電子設備１０５は、光強度センサ３１１をさらに有する。光強度センサ３１１は、電子設備格納用部品２０１内に設置されるとともに電子設備格納用部品２０１と接続され、さらに中央処理装置３０５と電気接続される。光強度センサ３１１は、外部環境からの光信号を受信し、電気信号に変換して中央処理装置３０５に伝送する。中央処理装置３０５は、電気信号に基づいて光強度を判断し、外部環境の光強度が低いと判断したとき、警報灯３０９の点灯を制御する。よって、照明の自動制御が実現される。光強度センサ３１１が設置されることで、ヘッドストラップ１００のインテリジェント化を促進することができる。警報灯３０９が外部環境の光強度に応じて自動にオン又はオフすることができるので、トンネル等の暗い環境でのサイクリングに寄与できる。
【００４６】
さらに、ヘッドストラップ１００は、イヤホンアセンブリ３１３をさらに有する。イヤホンアセンブリ３１３は、ストラップバンド１０１と接続されるとともに、電子設備１０５と通信接続される。具体的に、イヤホンアセンブリ３１３は、第１ケーブル２０７及び第２ケーブル２０９を介して無線伝送ユニット３０３と通信接続される。無線伝送ユニット３０３は、電子設備１０５に記憶しておいた音声信号をイヤホンに伝送することができるので、利用者がサイクリング中にイヤホンで音楽を聞くことが可能になり、サイクリング中の音楽聴取の要望を満たすことができる。
【００４７】
さらに、イヤホンアセンブリ３１３は、イヤホンユニット３２１とマイク３２３とを含む。イヤホンユニット３２１及びマイク３２３は、それぞれストラップバンド１０１と接続されるとともに電子設備１０５と接続される。イヤホンは、電子設備１０５からの音声信号を受信するように構成され、マイク３２３は、人の声を拾うように構成される。
【００４８】
さらに、イヤホンユニット３２１は、第１イヤホン３３１と第２イヤホン３３３とを含む。第１イヤホン３３１と第２イヤホン３３３は、それぞれストラップバンド１０１と接続されるとともに対向に設置され、そしてそ無線伝送ユニット３０３と通信接続される。
【００４９】
さらに、ヘッドストラップ１００は、センサアセンブリ３１５をさらに有する。センサアセンブリ３１５は、ストラップバンド１０１内に設置されるとともにストラップバンド１０１と接続され、さらに電子設備１０５と電気接続される。つまり、センサアセンブリ３１５は、中央処理装置３０５と電気接続されるとともに電源３０１と電気接続される。電源３０１がセンサアセンブリ３１５に電力を提供し、中央処理装置３０５がセンサアセンブリ３１５の取得した信号に対して分析、処理を行うようになる。
【００５０】
さらに、センサアセンブリ３１５は、心拍数センサ３２５と脳波捕捉装置３２７とを有する。心拍数センサ３２５と脳波捕捉装置３２７は、ストラップバンド１０１内に設置されるとともにストラップバンド１０１と接続され、さらに中央処理装置３０５及び電源３０１のそれぞれと電気接続される。
【００５１】
心拍数センサ３２５は、サイクリング中の利用者の心拍数データを取得して中央処理装置３０５に伝送する。中央処理装置３０５は、心拍数データに対して分析、処理を行って利用者のサイクリング中の心拍数の異常の存否を監視する。中央処理装置３０５は、利用者の心拍数が異常であると検出したとき、警報灯３０９の点灯を制御して警報を行うことができるので、利用者の安全を保証できる。
【００５２】
また、脳波捕捉装置３２７は、サイクリング中の利用者の脳波データを捕捉して中央処理装置３０５に伝送する。中央処理装置３０５は、脳波データに対して分析、処理を行って利用者の精神状態を取得する。中央処理装置３０５は、利用者の精神状態が良くないと検出したとき、警報灯３０９の点灯を制御して警報を行うことができるので、利用者の過剰運動を防ぐことができる。また、中央処理装置３０５は、利用者が移動端末を介して自身の運動時の健康状况を把握できるように、無線伝送ユニット３０３により心拍数データと脳波データを利用者の移動端末に伝送することができる。
【００５３】
本出願は、多機能ヘルメットをさらに提供する。多機能ヘルメットは、ヘルメット本体と、上記のヘッドストラップ１００とを有し、ヘルメット本体がヘッドストラップ１００と接続される。
【００５４】
上記のように、本出願は、ヘッドストラップ及び多機能ヘルメットを提供する。前記多機能ヘルメットは、ヘルメット本体とヘッドストラップとを有し、ヘルメット本体がヘッドストラップと接続される。前記ヘッドストラップは、頭部を縛り付けるストラップバンドと、ストラップバンドの縛り付け度合いを調節する調節アセンブリと、ヘッドストラップのインテリジェント化を実現する電子設備とを有する。ストラップバンドが調節アセンブリと接続され、電子設備が調節アセンブリ内に設置されるとともに調節アセンブリと接続される。本出願は、電子設備を設置することにより電子設備とヘッドストラップとを一体に構成させるので、電子設備のフットプリントを減少できるとともに電子設備の交換が容易になる。また、電子設備とヘッドストラップとを一体に構成させることにより、ヘルメット本体に線を埋める必要がなくなり、ヘルメットを大きく改造する必要がなくなる。これによって、ヘルメットの設計難易度が下がり、ヘルメットの生産難易度も下がる。
【００５５】
上記は、本出願の好ましい実施例にすぎず、本出願を限定するものではない。当業者は、本出願に対して各種の変更や変化を行うことができる。本出願の精神及び主旨を逸脱しない限り、行われるすべての変更、均等置換、改良等は、いずれも本出願の保護範囲に属する。
【００５６】
産業上の利用可能性
本出願によるヘッドストラップ及び多機能ヘルメットは、ヘッドストラップに電子設備を増設することにより、電子設備とヘッドストラップとを一体に構成させ、電子設備のフットプリントを減少できるとともに電子設備の交換が容易になる。
【符号の説明】
【００５７】
１００…ヘッドストラップ、２１０…ギヤ、２２０…ラックアセンブリ、２２１…第１ラック、２２３…第２ラック、１０１…ストラップバンド、１０３…調節アセンブリ、１０５…電子設備、２０１…電子設備格納用部品、２０３…機械アセンブリ、２０５…機械アセンブリ格納用部品、２０７…第１ケーブル、２０９…第２ケーブル、３０１…電源、３０３…無線伝送ユニット、３０５…中央処理装置、３０７…加速度センサ、３０９…警報灯、３１１…光強度センサ、３１３…イヤホンアセンブリ、３２１…イヤホンユニット、３２３…マイク、３３１…第１イヤホン、３３３…第２イヤホン、３１５…センサアセンブリ、３２５…心拍数センサ、３２７…脳波捕捉装置。
【図１】
0003230491.tif 000003
【図２】
0003230491.tif 000004
【図３】
0003230491.tif 000005
【図４】
0003230491.tif 000006
【図５】
0003230491.tif 000007
【手続補正書】
【提出日】令和2年10月22日(2020.10.22)
【手続補正１】
【補正対象書類名】実用新案登録請求の範囲
【補正対象項目名】全文
【補正方法】変更
【補正の内容】
【実用新案登録請求の範囲】
【請求項１】
頭部を縛り付けるストラップバンドと、前記ストラップバンドの縛り付け度合いを調節する調節アセンブリと、ヘッドストラップのインテリジェント化を実現する電子設備とを有し、
前記ストラップバンドが前記調節アセンブリと接続され、前記電子設備が前記調節アセンブリ内に設置されるとともに前記調節アセンブリと接続される
ことを特徴とするヘッドストラップ。
【請求項２】
前記調節アセンブリは、前記電子設備を格納する電子設備格納用部品と、前記ストラップバンドの縛り付け度合いを調節する機械アセンブリと、機械アセンブリを格納する機械アセンブリ格納用部品とを有し、
前記電子設備が前記電子設備格納用部品内に設置されるとともに前記電子設備格納用部品と接続され、
前記機械アセンブリが前記機械アセンブリ格納用部品内に設置されるとともに前記機械アセンブリ格納用部品と可動に接続される
ことを特徴とする請求項１に記載のヘッドストラップ。
【請求項３】
前記機械アセンブリは、ギヤとラックアセンブリとを有し、
前記ラックアセンブリが前記ギヤと噛合し、
前記ギヤが前記機械アセンブリ格納用部品内に格納されるとともに前記機械アセンブリ格納用部品と可動に接続され、
前記ラックアセンブリが前記機械アセンブリ格納用部品と可動に接続される
ことを特徴とする請求項２に記載のヘッドストラップ。
【請求項４】
前記ラックアセンブリは、第１ラックと第２ラックとを含み、
前記第１ラックと前記第２ラックがそれぞれ前記ギヤの両側に位置するとともに前記ギヤと噛合し、
前記第１ラックと前記第２ラックがいずれも前記機械アセンブリ格納用部品と可動に接続される
ことを特徴とする請求項３に記載のヘッドストラップ。
【請求項５】
複数の第１ケーブルと複数の第２ケーブルとをさらに有し、
前記複数の第１ケーブルがそれぞれ前記第１ラック、機械アセンブリ格納用部品、電子設備格納用部品及び電子設備と接続され、
前記複数の第２ケーブルがそれぞれ前記第２ラック、機械アセンブリ格納用部品、電子設備格納用部品及び電子設備と接続される
ことを特徴とする請求項４に記載のヘッドストラップ。
【請求項６】
前記電子設備は、前記電子設備格納用部品内に設置されるとともに前記電子設備格納用部品と接続される無線伝送ユニットを有することを特徴とする請求項２〜５のいずれか１項に記載のヘッドストラップ。
【請求項７】
前記電子設備は、前記電子設備格納用部品内に設置されるとともに前記電子設備格納用部品と接続され、前記無線伝送ユニットと電気接続される中央処理装置をさらに有することを特徴とする請求項６に記載のヘッドストラップ。
【請求項８】
前記電子設備は、前記電子設備格納用部品の外部に設置されるとともに前記電子設備格納用部品と接続され、前記中央処理装置と電気接続される警報灯をさらに有することを特徴とする請求項７に記載のヘッドストラップ。
【請求項９】
前記電子設備は、前記電子設備格納用部品内に設置されるとともに前記電子設備格納用部品と接続され、前記中央処理装置と電気接続される加速度センサをさらに有することを特徴とする請求項８に記載のヘッドストラップ。
【請求項１０】
前記電子設備は、前記電子設備格納用部品内に設置されるとともに前記電子設備格納用部品と接続され、前記中央処理装置と電気接続される光強度センサをさらに有することを特徴とする請求項７に記載のヘッドストラップ。
【請求項１１】
前記ストラップバンド内に設置されるとともに前記ストラップバンドと接続され、前記電子設備と電気接続されるセンサアセンブリをさらに有することを特徴とする請求項７〜１０のいずれか１項に記載のヘッドストラップ。
【請求項１２】
前記センサアセンブリは、心拍数センサと脳波捕捉装置とを含み、
前記心拍数センサと前記脳波捕捉装置が、いずれも、前記ストラップバンド内に設置されるとともに前記ストラップバンドと接続され、前記中央処理装置と電気接続される
ことを特徴とする請求項１１に記載のヘッドストラップ。
【請求項１３】
ストラップバンドと接続され、前記電子設備と通信接続されるイヤホンアセンブリをさらに有することを特徴とする請求項１〜１２のいずれか１項に記載のヘッドストラップ。
【請求項１４】
前記イヤホンアセンブリは、イヤホンユニットとマイクとを含み、
前記イヤホンユニット及び前記マイクが、いずれも、前記ストラップバンド及び前記電子設備と接続されることを特徴とする請求項１３に記載のヘッドストラップ。
【請求項１５】
ヘルメット本体と、請求項１〜１４のいずれか１項に記載のヘッドストラップとを有し、前記ヘルメット本体が前記ヘッドストラップと接続されることを特徴とする多機能ヘルメット。